(57)【要約】【課題】景品交換サービスの業務効率を向上させることを課題とする。【解決手段】ＣＲユニット３０では、景品の景品情報として当該景品の種別を表す景品コードを受け付け、受け付けた景品コードに対応する交換玉数を景品管理装置５０に問い合わせ、応答として得られた交換玉数を持ち玉数から減算処理し、交換玉数を減算処理した景品の景品コードを含む出庫通知を景品管理装置５０に行う。一方、景品管理装置５０では、景品コードごとに該景品の出庫数を対応付けて記憶し、景品コードに対応付けて記憶した出庫数のうち当該出庫通知に対応する出庫数を更新する。【選択図】        図１
2010119453.tif 000002
【特許請求の範囲】
【請求項１】
各遊技台に対応して配設されるとともに当該遊技台における遊技結果として得られた遊技媒体を計数し、該計数値を持ち遊技媒体数として管理する各台対応装置を有する景品交換システムであって、
前記各台対応装置は、
遊技客が交換を希望する景品の景品情報を受け付ける景品情報受付手段と、
前記景品情報受付手段によって受け付けられた景品情報から得られる景品との交換に必要な交換遊技媒体数を前記持ち遊技媒体数から減算処理する減算処理手段と
を備えたことを特徴とする景品交換システム。
【請求項２】
複数の各台対応装置に接続されるとともに該各台対応装置を管理する管理装置をさらに備え、
前記各台対応装置は、
前記減算処理手段によって交換遊技媒体数が減算処理された景品の景品情報を含む取引履歴を前記管理装置に通知する取引履歴通知手段を備え、
前記管理装置は、
前記各台対応装置で交換取引された景品の取引履歴を記憶する取引履歴記憶手段と、
前記取引履歴通知手段によって通知された取引履歴を前記取引履歴記憶手段に追加登録する履歴更新手段とを備えた
ことを特徴とする請求項１に記載の景品交換システム。
【請求項３】
複数の各台対応装置に接続されるとともに前記景品の管理を行う景品管理装置をさらに備え、
前記各台対応装置は、
前記景品情報として当該景品の種別を表す景品コードを前記景品情報受付手段で受け付け、
前記景品情報受付手段によって受け付けられた景品コードに対応する交換遊技媒体数を前記景品管理装置に問い合わせる問合せ手段と、
前記減算処理手段は前記問合せ手段による応答として得られた交換遊技媒体数を前記持ち遊技媒体数から減算処理し、
前記減算処理手段によって交換遊技媒体数が減算処理された景品の景品コードを含む出庫通知を前記景品管理装置に行う出庫通知手段とを備え、
前記景品管理装置は、
前記景品コードごとに該景品の出庫数を対応付けて記憶する出庫数記憶手段と、
前記出庫通知手段によって出庫通知を受け付けた場合に、前記出庫数記憶手段によって記憶された出庫数のうち当該出庫通知に含まれる景品コードに対応する出庫数を更新する出庫数更新手段とを備えた
ことを特徴とする請求項１または２に記載の景品交換システム。
【請求項４】
複数の各台対応装置に接続されるとともに前記景品の管理を行う景品管理装置をさらに備え、
前記各台対応装置は、
当該景品の景品情報として交換遊技媒体数を前記景品情報受付手段で受け付け、
前記減算処理手段は前記景品情報受付手段によって受け付けられた交換遊技媒体数を前記持ち遊技媒体数から減算処理し、
前記各台対応装置ならびに／または前記景品管理装置との通信可能な携帯端末をさらに備え、
前記携帯端末は、
前記各台対応装置により遊技客が交換した景品の景品コードを含む情報を前記景品管理装置に出庫通知を行う出庫通知手段を備え、
前記景品管理装置は、
前記交換遊技媒体数ごとに当該交換遊技媒体数で交換される景品もしくは景品群の出庫数を対応付けて記憶する出庫数記憶手段と、
前記出庫通知手段によって出庫通知を受け付けた場合に、前記出庫数記憶手段によって記憶された出庫数のうち当該出庫通知に含まれる交換遊技媒体数に対応する出庫数を更新する出庫数更新手段とを備えた
ことを特徴とする請求項１または２に記載の景品交換システム。
【請求項５】
複数の各台対応装置に接続されるとともに前記景品の管理を行う景品管理装置をさらに備え、
前記各台対応装置は、
前記景品情報として当該景品の種別を表す景品コードを前記景品情報受付手段で受け付け、
前記景品情報受付手段によって受け付けられた景品コードに対応する交換遊技媒体数を前記景品管理装置に問い合わせる問合せ手段と、
前記減算処理手段は前記問合せ手段による応答として得られた交換遊技媒体数を前記持ち遊技媒体数から減算処理し、
前記減算処理手段によって、交換遊技媒体数が減算処理された景品の交換遊技媒体数を含む出庫通知を前記景品管理装置に行う出庫通知手段とを備え、
前記景品管理装置は、
前記交換遊技媒体数ごとに当該交換遊技媒体数で交換される景品もしくは景品群の出庫数を対応付けて記憶する出庫数記憶手段と、
前記出庫通知手段によって出庫通知を受け付けた場合に、前記出庫数記憶手段によって記憶された出庫数のうち当該出庫通知に含まれる交換遊技媒体数に対応する出庫数を更新する出庫数更新手段とを備えた
ことを特徴とする請求項１または２に記載の景品交換システム。
【請求項６】
前記各台対応装置は、
前記景品の景品情報として交換遊技媒体数を受け付ける景品情報受付手段と、
前記景品情報受付手段によって受け付けられた交換遊技媒体数を前記持ち遊技媒体数から減算処理する減算処理手段と、
前記減算処理手段によって減算処理される交換遊技媒体数分の遊技媒体を払い出すように制御する払出し制御手段とを備えた
ことを特徴とする請求項１または２に記載の景品交換システム。
【請求項７】
前記各台対応装置と無線通信を行う携帯端末をさらに備え、
前記携帯端末は、
交換を希望する景品の景品情報の入力を受け付ける入力受付手段と、
前記入力受付手段によって入力が受け付けられた景品情報を前記各台対応装置に送信する送信手段とを備え、
前記景品情報受付手段は、
前記送信手段によって送信された景品情報を前記景品の景品情報として受け付けることを特徴とする請求項１〜６のいずれか一つに記載の景品交換システム。
【請求項８】
各遊技台に対応して配設されるとともに当該遊技台における遊技結果として得られた遊技媒体を計数し、該計数値を持ち遊技媒体数として管理する各台対応装置を有する景品交換システムに適用する景品交換方法であって、
前記各台対応装置が、
遊技客が交換を希望する景品の景品情報を受け付ける景品情報受付工程と、
前記景品情報受付工程によって受け付けられた景品情報から得られる景品との交換に必要な交換遊技媒体数を前記持ち遊技媒体数から減算処理する減算処理工程と
を実行することを特徴とする景品交換方法。
【発明の詳細な説明】
【技術分野】
【０００１】
本発明は、各遊技台に対応して配設されるとともに当該遊技台における遊技結果として得られた遊技媒体を計数し、該計数値を持ち遊技媒体数として管理する各台対応装置を有する景品交換システム及びその景品交換方法に関する。
【背景技術】
【０００２】
従来より、パチンコ遊技やパチスロ遊技を提供する遊技店では、景品カウンタにおいて、遊技客が遊技で獲得した獲得遊技媒体と引き換えに所望の景品を提供する景品交換サービスを行っている。このようにして、遊技店によって提供される「景品」には、日用品、食料品や装飾品などの一般景品の他に、遊技店とは独立した景品買取場での買取を前提とした特殊景品が存在する。
【０００３】
かかる景品交換サービスを実現するシステムとしては、遊技客が所望する景品と引き換えに景品相当分の獲得遊技媒体数を減算し、交換要求された景品種別が「特殊景品」である場合には、特殊景品を払出す景品交換システムがよく知られている（例えば、特許文献１参照）。なお、交換要求された景品種別が「一般景品」である場合には、所定の表示部に払出し対象の景品を表示する従業員報知を行う。
【０００４】
また、遊技店においては、景品カウンタで景品交換サービスを提供する他、遊技客に離席させずに景品交換させる観点から、遊技店の従業員や外部委託の販売員などが飲食料やタバコなどの一般景品を搭載したワゴンを運搬しながら遊技席に赴き、交換を希望する遊技客から交換対価の遊技媒体を徴収するとともに交換景品を受け渡すワゴンサービスを広く実施している。
【０００５】
【特許文献１】特開２００２−３３１１４６号公報
【発明の開示】
【発明が解決しようとする課題】
【０００６】
しかしながら、上述したワゴンサービスを提供する場合には、従業員や販売員等が景品の交換対価を目視で数える必要があるので、１取引に多くの時間を要することとなる結果、景品交換サービスの業務効率が低下してしまうという問題がある。
【０００７】
さらには、従業員や販売員が目視で交換対価の遊技媒体を数えるので、交換対価を数え間違えたり、交換対価の受渡し時に遊技媒体をこぼしてしまったりなどのヒューマンエラーが生じることもあり、店側または客側に無用な損益が生じるおそれもある。
【０００８】
これらのことから、遊技店でワゴンサービスを提供する場合に、景品の交換対価の徴収をいかにして手際よく行うかが重要な課題となっている。
【０００９】
そこで、本発明は、上述した従来技術による課題（問題点）を解消するためになされたものであり、景品交換サービスの業務効率を向上させることができる景品交換システム及び景品交換方法を提供することを目的とする。
【課題を解決するための手段】
【００１０】
上述した課題を解決し、目的を達成するために、本発明に係る景品交換システムは、各遊技台に対応して配設されるとともに当該遊技台における遊技結果として得られた遊技媒体を計数し、該計数値を持ち遊技媒体数として管理する各台対応装置を有する景品交換システムであって、前記各台対応装置は、遊技客が交換を希望する景品の景品情報を受け付ける景品情報受付手段と、前記景品情報受付手段によって受け付けられた景品情報から得られる景品との交換に必要な交換遊技媒体数を前記持ち遊技媒体数から減算処理する減算処理手段とを備えたことを特徴とする。
【００１１】
また、本発明に係る景品交換システムは、上記の発明において、複数の各台対応装置に接続されるとともに該各台対応装置を管理する管理装置をさらに備え、前記各台対応装置は、前記減算処理手段によって交換遊技媒体数が減算処理された景品の景品情報を含む取引履歴を前記管理装置に通知する取引履歴通知手段を備え、前記管理装置は、前記各台対応装置で交換取引された景品の取引履歴を記憶する取引履歴記憶手段と、前記取引履歴通知手段によって通知された取引履歴を前記取引履歴記憶手段に追加登録する履歴更新手段とを備えたことを特徴とする。
【００１２】
また、本発明に係る景品交換システムは、上記の発明において、複数の各台対応装置に接続されるとともに前記景品の管理を行う景品管理装置をさらに備え、前記各台対応装置は、前記景品情報として当該景品の種別を表す景品コードを前記景品情報受付手段で受け付け、前記景品情報受付手段によって受け付けられた景品コードに対応する交換遊技媒体数を前記景品管理装置に問い合わせる問合せ手段と、前記減算処理手段は前記問合せ手段による応答として得られた交換遊技媒体数を前記持ち遊技媒体数から減算処理し、前記減算処理手段によって交換遊技媒体数が減算処理された景品の景品コードを含む出庫通知を前記景品管理装置に行う出庫通知手段とを備え、前記景品管理装置は、前記景品コードごとに該景品の出庫数を対応付けて記憶する出庫数記憶手段と、前記出庫通知手段によって出庫通知を受け付けた場合に、前記出庫数記憶手段によって記憶された出庫数のうち当該出庫通知に含まれる景品コードに対応する出庫数を更新する出庫数更新手段とを備えたことを特徴とする。
【００１３】
また、本発明に係る景品交換システムは、上記の発明において、複数の各台対応装置に接続されるとともに前記景品の管理を行う景品管理装置をさらに備え、前記各台対応装置は、当該景品の景品情報として交換遊技媒体数を前記景品情報受付手段で受け付け、前記減算処理手段は前記景品情報受付手段によって受け付けられた交換遊技媒体数を前記持ち遊技媒体数から減算処理し、前記各台対応装置ならびに／または前記景品管理装置との通信可能な携帯端末をさらに備え、前記携帯端末は、前記各台対応装置により遊技客が交換した景品の景品コードを含む情報を前記景品管理装置に出庫通知を行う出庫通知手段を備え、前記景品管理装置は、前記交換遊技媒体数ごとに当該交換遊技媒体数で交換される景品もしくは景品群の出庫数を対応付けて記憶する出庫数記憶手段と、前記出庫通知手段によって出庫通知を受け付けた場合に、前記出庫数記憶手段によって記憶された出庫数のうち当該出庫通知に含まれる交換遊技媒体数に対応する出庫数を更新する出庫数更新手段とを備えたことを特徴とする。
【００１４】
また、本発明に係る景品交換システムは、上記の発明において、複数の各台対応装置に接続されるとともに前記景品の管理を行う景品管理装置をさらに備え、前記各台対応装置は、前記景品情報として当該景品の種別を表す景品コードを前記景品情報受付手段で受け付け、前記景品情報受付手段によって受け付けられた景品コードに対応する交換遊技媒体数を前記景品管理装置に問い合わせる問合せ手段と、前記減算処理手段は前記問合せ手段による応答として得られた交換遊技媒体数を前記持ち遊技媒体数から減算処理し、前記減算処理手段によって、交換遊技媒体数が減算処理された景品の交換遊技媒体数を含む出庫通知を前記景品管理装置に行う出庫通知手段とを備え、前記景品管理装置は、前記交換遊技媒体数ごとに当該交換遊技媒体数で交換される景品もしくは景品群の出庫数を対応付けて記憶する出庫数記憶手段と、前記出庫通知手段によって出庫通知を受け付けた場合に、前記出庫数記憶手段によって記憶された出庫数のうち当該出庫通知に含まれる交換遊技媒体数に対応する出庫数を更新する出庫数更新手段とを備えたことを特徴とする。
【００１５】
また、本発明に係る景品交換システムは、上記の発明において、前記各台対応装置は、前記景品の景品情報として交換遊技媒体数を受け付ける景品情報受付手段と、前記景品情報受付手段によって受け付けられた交換遊技媒体数を前記持ち遊技媒体数から減算処理する減算処理手段と、前記減算処理手段によって減算処理される交換遊技媒体数分の遊技媒体を払い出すように制御する払出し制御手段とを備えたことを特徴とする。
【００１６】
また、本発明に係る景品交換システムは、上記の発明において、前記各台対応装置と無線通信を行う携帯端末をさらに備え、前記携帯端末は、交換を希望する景品の景品情報の入力を受け付ける入力受付手段と、前記入力受付手段によって入力が受け付けられた景品情報を前記各台対応装置に送信する送信手段とを備え、前記景品情報受付手段は、前記送信手段によって送信された景品情報を前記景品の景品情報として受け付けることを特徴とする。
【００１７】
また、本発明に係る景品交換方法は、各遊技台に対応して配設されるとともに当該遊技台における遊技結果として得られた遊技媒体を計数し、該計数値を持ち遊技媒体数として管理する各台対応装置を有する景品交換システムに適用する景品交換方法であって、前記各台対応装置が、遊技客が交換を希望する景品の景品情報を受け付ける景品情報受付工程と、前記景品情報受付工程によって受け付けられた景品情報から得られる景品との交換に必要な交換遊技媒体数を前記持ち遊技媒体数から減算処理する減算処理工程とを実行することを特徴とする。
【発明の効果】
【００１８】
本発明によれば、遊技客が交換を希望する景品の景品情報を受け付け、受け付けた景品情報から得られる景品との交換に必要な交換遊技媒体数を持ち遊技媒体数から減算処理するように構成したので、従業員等の販売員が景品の交換対価を数える作業を不要化することができ、景品交換サービスの業務効率を向上させることが可能になるという効果を奏する。
【００１９】
また、本発明によれば、交換遊技媒体数を減算処理した景品の景品情報を含む取引履歴を管理装置に通知するように各台対応装置を構成し、各台対応装置で交換取引された景品の取引履歴を記憶し、通知された取引履歴を追加登録するように管理装置を構成したので、たとえば景品別の取引回数、累計取引回数及び累計取引媒体数などのワゴンサービスに関する統計的なデータを作成することができ、ワゴン取引の実施状況を厳密に管理することが可能になるという効果を奏する。
【００２０】
また、本発明によれば、景品情報として当該景品の種別を表す景品コードを受け付け、受け付けた景品コードに対応する交換遊技媒体数を景品管理装置に問い合わせ、応答として得られた交換遊技媒体数を持ち遊技媒体数から減算処理し、交換遊技媒体数を減算処理した景品の景品コードを含む出庫通知を景品管理装置に行うように各台対応装置を構成し、景品コードごとに該景品の出庫数を対応付けて記憶し、出庫通知を受け付けた場合に、記憶した出庫数のうち当該出庫通知に含まれる景品コードに対応する出庫数を更新するように景品管理装置を構成したので、景品種別ごとにワゴン取引による出庫数を管理するとともに従業員等の販売員が景品の交換対価を数える作業を不要化することができ、ワゴン取引による出庫数を正確に管理しつ、景品交換サービスの業務効率を向上させることが可能になるという効果を奏する。
【００２１】
また、本発明によれば、景品の景品情報として交換遊技媒体数を受け付け、受け付けた交換遊技媒体数を持ち遊技媒体数から減算処理するように各台対応装置を構成し、各台対応装置により遊技客が交換した景品の景品コードを含む情報を景品管理装置に出庫通知を行うように携帯端末を構成し、交換遊技媒体数ごとに当該交換遊技媒体数で交換される景品もしくは景品群の出庫数を対応付けて記憶し、出庫通知を受け付けた場合に、記憶した出庫数のうち当該出庫通知に含まれる交換遊技媒体数に対応する出庫数を更新するように景品管理装置を構成したので、同一の交換遊技媒体数が付与された景品ごとにワゴン取引による出庫数を管理するとともに従業員等の販売員が景品の交換対価を数える作業を不要化することができ、ワゴン取引による出庫数を正確に管理しつ、景品交換サービスの業務効率を向上させることが可能になるという効果を奏する。さらに、携帯端末が景品管理装置に出庫通知を直接行うように構成したので、遊技店の店内機器間で構成される通信回線に負荷を与えずに出庫通知を行うことができる。
【００２２】
また、本発明によれば、景品情報として当該景品の種別を表す景品コードを前記景品情報受付手段で受け付け、受け付けた景品コードに対応する交換遊技媒体数を景品管理装置に問い合わせ、応答として得られた交換遊技媒体数を持ち遊技媒体数から減算処理し、交換遊技媒体数を減算処理した景品の交換遊技媒体数を含む出庫通知を景品管理装置に行うように各台対応装置を構成し、交換遊技媒体数ごとに当該交換遊技媒体数で交換される景品もしくは景品群の出庫数を対応付けて記憶し、出庫通知を受け付けた場合に、記憶した出庫数のうち当該出庫通知に含まれる交換遊技媒体数に対応する出庫数を更新するように景品管理装置を構成したので、同一の交換遊技媒体数が付与された景品ごとにワゴン取引による出庫数を人手を介することなく自動的に管理するとともに従業員等の販売員が景品の交換対価を数える作業を不要化することができ、ワゴン取引による出庫数を正確に管理しつ、景品交換サービスの業務効率を向上させることが可能になるという効果を奏する。
【００２３】
また、本発明によれば、景品の景品情報として交換遊技媒体数を受け付け、受け付けた交換遊技媒体数を持ち遊技媒体数から減算処理し、減算処理した交換遊技媒体数分の遊技媒体を払い出させるように各台対応装置を構成したので、従業員等の販売員が景品の交換対価を数える作業を不要化することができ、景品交換サービスの業務効率を向上させることが可能になるという効果を奏する。
【００２４】
また、本発明によれば、交換を希望する景品の景品情報の入力を受け付け、入力を受け付けた景品情報を各台対応装置に送信する携帯端末を設け、送信された景品情報を景品の景品情報として受け付けるように各台対応装置を構成したので、ユニットの操作部よりも大きい携帯端末の操作部で操作させ、かつ入力しやすい姿勢で操作を行わせることにより、景品を指定する際の操作利便性を向上させることが可能になるという効果を奏する。
【発明を実施するための最良の形態】
【００２５】
以下に添付図面を参照して、本発明に係る景品交換システム及び景品交換方法の好適な実施例を詳細に説明する。なお、以下では、本発明をパチンコ遊技を提供する各台計数システムに適用する場合について説明することとする。
【実施例１】
【００２６】
まず、本実施例に係る各台計数システムのシステム構成について説明する。図１は、実施例１に係る各台計数システムのシステム構成図である。同図に示すように、この各台計数システム１には、管理装置１０と、島コントローラ２０と、計数機能付きＣＲユニット３０（以下、単にＣＲユニットと言う）と、パチンコ機４０と、景品管理装置５０と、景品払出機６０とが設けられている。
【００２７】
島コントローラ２０は、周囲を通路に囲まれたスペース（遊技島）に設けられた一群のＣＲユニット３０及びパチンコ機４０を束ねる中継装置である。
【００２８】
ＣＲユニット３０は、遊技店内の各パチンコ機４０に併設されるカード処理ユニットであり、本実施例では、パチンコ機４０の下皿から投入されるパチンコ玉を計数する計数機能をさらに有する。具体的には、自装置が接続されたパチンコ機４０で遊技者が獲得したパチンコ玉の玉数を計数したうえでその計数値を持ち玉としてプリペイドカードに関連付け、持ち玉が関連付けられたプリペイドカードを発行する。なお、ＣＲユニット３０は、従来と同様、プリペイドカードに価値付けられたプリペイド残度数を用いた玉貸しも行う。従って、１枚のプリペイドカードには、持ち玉とプリペイド残度数の２つの遊技価値情報が関連付けられる。
【００２９】
パチンコ機４０は、パチンコ玉を遊技領域に発射して遊技者がパチンコ遊技を行う装置であり、本実施例では、プリペイドカード対応のいわゆるＣＲパチンコ機であるものとしている。
【００３０】
景品管理装置５０は、遊技店内の景品交換カウンタに配設された景品交換用の端末装置であり、後述する交換玉数管理テーブル５４ａを用いて持ち玉と景品との交換を管理する。この交換玉数管理テーブル５４ａは、景品コードごとにその景品との交換に要する交換玉数を対応付けて記憶している。そして、景品交換カウンタ内の従業員が、ＣＲユニット３０により発行されたプリペイドカードを遊技客から受け取ると、このプリペイドカードのカードリーダへの読取操作を通じて持ち玉を取得するとともに、遊技客により指定された景品に対応する交換ボタンを押下し、当該景品に相当する交換玉数を持ち玉数から減算する交換制御を実行させ、その後に従業員による手作業で遊技客に受け渡す。また、遊技客が特殊景品への交換を希望する場合には、従業員はこの景品管理装置５０に設けられた特殊景品交換ボタンを押下し、交換玉数管理テーブル５４ａを参照して持ち玉数に応じた特殊景品の払い出しを景品払出機６０に指示する。
【００３１】
管理装置１０は、後述する価値管理テーブル１４ａを用いて、プリペイドカードに関連付けられた持ち玉および残度数などの遊技価値を管理する装置である。この価値管理テーブル１４ａは、プリペイドカードの識別情報（以下、プリペイドカードＩＤと言う）、持ち玉数および残度数を対応付けて記憶している。
【００３２】
例えば、ＣＲユニット３０から持ち玉の加算依頼を受け付けた場合には、当該加算依頼に含まれるプリペイドカードＩＤに対応する持ち玉数に計数値などの加算依頼玉数を加算更新し、また、ＣＲユニット３０又は景品管理装置５０から持ち玉の減算依頼（持ち玉返却依頼）を受け付けた場合には、当該減算依頼に含まれるプリペイドカードＩＤに対応する持ち玉数から持ち玉返却の単位玉数もしくは交換対価等の減算依頼玉数を減算更新する。
【００３３】
また、ＣＲユニット３０からプリペイド残度数の加算依頼（価値付け依頼）を受け付けた場合には、当該加算依頼に含まれるプリペイドカードＩＤに対応する残度数に挿入紙幣金額などの価値付け依頼金額を加算更新し、また、プリペイド残度数の減算依頼を受け付けた場合には、当該減算依頼に含まれるプリペイドカードＩＤに対応する残度数から玉貸しの貸出単位金額等の減算依頼金額を減算更新する。
【００３４】
ここで、各台計数システム１において、ＣＲユニット３０が、遊技客が交換を希望する景品の景品情報を受け付け、受け付けた景品情報から得られる景品との交換に必要な交換玉数を持ち玉数から減算処理する点にその特徴がある。
【００３５】
すなわち、本実施例では、ワゴンサービスを提供する場合に景品の交換対価を手際よく徴収するために、遊技客が着座する遊技席のＣＲユニット３０を用いて景品の交換対価を持ち玉から自動減算することとした。
【００３６】
したがって、本実施例によれば、従業員等の販売員が景品の交換対価を数える作業を不要化することができ、景品交換サービスの業務効率を向上させることが可能になる。さらに、ＣＲユニットで交換対価を持ち玉から自動減算するので、販売員によるヒューマンエラーを低減させることもできる。
【００３７】
また、本実施例では、ワゴンサービス業務を行う販売員が所持するリモコン７０を介して景品の景品情報をＣＲユニット３０に送信することとした。
【００３８】
すなわち、本実施例では、ＣＲユニット３０と無線通信を実行可能なリモコン７０を販売員に所持させておき、販売員が遊技客から交換を希望する景品名を聞き取ると、その景品の指定操作をリモコン７０に行う。そして、リモコン７０では、景品の指定操作を受け付けた景品の景品コードを交換希望者である遊技客が着座する遊技席のＣＲユニット３０に通知する。
【００３９】
このように景品指定を行う際にリモコン７０を用いるのは、ＣＲユニット３０の操作部が鉛直面に設置されており、また、台間に設置される制約面から操作部自体が小さくなってしまうことから、ユニットの操作部よりも大きい操作部で操作させ、かつ入力しやすい姿勢で操作を行わせることにより、景品を指定する際の操作利便性を向上させるためである。
【００４０】
さらに、ＣＲユニット３０では、プリペイドカードの補充／回収や現金収納部の解錠／施錠などの操作をリモコン等の携帯端末を介して受け付けており、赤外線受光部などの受信部を本来的に有していることから、かかる既存の受信部を流用すればＣＲユニット３０のハードウェア構成を改変する必要がなくなり、遊技店設備に係る費用対効果を向上させることもできる。
【００４１】
続いて、本実施例に係る各台計数システムを構成する各装置の構成を説明する。なお、ここでは、ＣＲユニット３０の構成を説明してから管理装置１０の構成を説明し、その後に景品管理装置５０の構成を説明することとする。
【００４２】
前述したように、ここでは、本実施例に係るＣＲユニットの外観構成及び内部構成について説明する。図２は、実施例１に係るＣＲユニットの外観を示した正面図である。なお、この図２には、ＣＲユニット３０が併設されたパチンコ機４０を破線で示している。
【００４３】
図２に示すように、ＣＲユニット３０は、係員の呼び出し時などに点灯する状態表示部３０１と、玉貸しのための各種紙幣を受け付ける紙幣挿入部３０２と、リモコン７０から発せられる赤外光を受光するリモコン受光部３４と、持ち玉の返却（払戻し）要求を受け付ける持玉返却ボタン３０３と、液晶パネルやディスプレイなどの表示デバイス上で操作入力を受け付けることができる表示可能かつ入力可能なタッチパネル３０４と、持ち玉を払い出すノズルを備えた持ち玉払出部３０５と、プリペイドカード等のカード類の受付／返却を行うカード挿入部３０６と、持ち玉（獲得玉）を計数する計数部３５と、持ち玉（獲得玉）を貯留する玉貯留部３０７とを有する。
【００４４】
また、パチンコ機４０には、パチンコ遊技に使用するパチンコ玉を貯留する上皿４１０と、上皿４１０の許容容量を超えて溢れたパチンコ玉を貯留する下皿４２０とが設けられており、この上皿４１０には、プリペイドカードの残度数等を表示する７ＳＥＧ表示部４１１と、玉貸し要求を受け付ける玉貸しボタン４１２と、プリペイドカードの返却要求を受け付ける返却ボタン４１３とがさらに設けられている。なお、本実施例では、玉貸しボタン４１２及び返却ボタン４１３をパチンコ機４０に設けることとしたが、必ずしもパチンコ機４０側に設ける必要はなく、ＣＲユニット３０に設けることとしてもよい。
【００４５】
パチンコ玉を借り受ける際には、遊技客がパチンコ機４０側の玉貸しボタン４１２を押下操作すると、玉貸し操作信号がＣＲユニット３０に転送されてＣＲユニット３０側で玉貸し操作が受け付けられる。このとき、プリペイド残度数が存在する場合には、ＣＲユニット３０からパチンコ機４０に玉投出指示が行われて貸し玉が上皿４１０に投出されることになる。
【００４６】
また、持ち玉が計数される際には、パチンコ機４０の下皿４２０から獲得玉を玉貯留部３０７に投入すると、その投入玉が計数部３５に誘導されて獲得玉の数量が計数される。そして、遊技者が持玉返却ボタン３０３を押下すると、後述する記憶部３７によって持ち玉（獲得玉）として記憶管理されている玉数の範囲内であれば、持ち玉が持ち玉払出部３０５経由でパチンコ機４０の上皿４１０に投出される。
【００４７】
ワゴンサービスによる景品交換を行う際には、販売員が遊技客から聞き取った景品名に対応する交換ボタンをリモコン７０で押下すると、当該景品の景品種別を示す景品コードがリモコン７０からＣＲユニット３０のリモコン受光部３４に送信される。そして、ＣＲユニット３０側で景品コードに対応する交換玉数の問合せが景品管理装置５０に行われ、問合せ結果として得られた交換玉数以上の持ち玉が存在する場合には、持ち玉から交換玉数が減算徴収される。交換玉数の徴収後には、交換要求を受け付けた景品の交換対価の徴収が完了した旨がタッチパネル３０４で表示される。
【００４８】
図３は、実施例１に係るＣＲユニットの内部構成を示す機能ブロック図である。なお、実際のＣＲユニット３０では、図示した機能部以外の機能部（例えば、プリペイドカードを扱うカード処理部、現金を扱う現金処理部やパチンコ機４０と通信を行うインターフェースなど）を有するが、図３では、実施例１に係るＣＲユニット３０の特徴を説明するために必要な構成要素のみを抜粋している。
【００４９】
図３に示すように、このＣＲユニット３０は、操作部３１と、表示部３２と、通信Ｉ／Ｆ部３３と、リモコン受光部３４と、計数部３５と、持ち玉払出し部３６と、記憶部３７と、制御部３８とを有する。
【００５０】
操作部３１は、図２に示した持玉返却ボタン３０３やタッチパネル３０４などの各種ボタン群の総称であり、表示部３２は、図２に示した状態表示部３０１やタッチパネル３０４などの総称である。
【００５１】
通信Ｉ／Ｆ部３３は、管理装置１０、島コントローラ２０及び景品管理装置５０などの他の装置の間で各種通信を行うためのインターフェースである。
【００５２】
リモコン受光部３４は、図１に示したリモコン７０から照射される赤外線を受光する受光素子を有する受信部であり、例えば、リモコン７０から照射される赤外線を通じて、プリペイドカードの補充／回収や現金収納部の解錠／施錠などの既存のＣＲユニットで同様に行われる各種操作を受け付ける一方で、遊技客が交換を希望する景品の景品コードを含む景品交換要求を受け付ける。
【００５３】
計数部３５は、ペアとなるパチンコ機４０の下皿４２０から投入された獲得玉を計数する処理部であり、図示しない持ち玉を計数する計数センサを内在する。具体的には、この計数センサが玉貯留部３０７から導入した獲得玉の通過経路の近傍に設けられており、この通過経路に赤外線等の発光及びその反射光の受光を併せて行うことで獲得玉の通過を検知し、これらの通過数を後述する持ち玉更新部３８ａにカウントアップさせる。
【００５４】
持ち玉払出し部３６は、持ち玉の投出制御を行う処理部である。具体的には、後述する持ち玉更新部３８ａから払出し数を含む玉払出し指示が行われると、当該払出し数分のパチンコ玉を持ち玉払出部３０５を介してパチンコ機４０の上皿４１０に投出する。
【００５５】
記憶部３７は、制御部３８による各種処理に必要なデータおよびプログラムを記憶する不揮発性メモリ等の記憶デバイスであり、例えば、遊技客が保有する持ち玉数を示す持ち玉データ３７ａを併せて記憶する。
【００５６】
制御部３８は、ＣＲユニット３０を全体制御する制御部であり、持ち玉更新部３８ａと、交換玉数問合せ部３８ｂと、交換対価徴収部３８ｃと、ワゴン取引履歴通知部３８ｄとを有する。実際には、これらの機能部に対応するプログラムを図示しないＲＯＭや不揮発性メモリに記憶しておき、これらのプログラムをＣＰＵにロードして実行し、持ち玉更新部３８ａ、交換玉数問合せ部３８ｂ、交換対価徴収部３８ｃ及びワゴン取引履歴通知部３８ｄにそれぞれ対応するプロセスを実行させることになる。
【００５７】
持ち玉更新部３８ａは、持ち玉の加算更新または減算更新を行う処理部である。具体的には、計数部３５からの計数センサ出力が得られた場合に、そのセンサ出力をカウントアップし、記憶部３７に持ち玉データ３７ａとして記憶された持ち玉数にカウントアップした値を加算する更新を行う。また、持玉返却ボタン３０３の押下操作を受け付けた場合に、記憶部３７に持ち玉データ３７ａとして記憶された持ち玉数から払出し玉数を減算する更新を行うとともに、当該払出し玉数分のパチンコ玉を払い出すように持ち玉払出し部３６に指示する。なお、加算更新時または減算更新時には、記憶部３７内に記憶された持ち玉数をタッチパネル３０４に表示させる処理も併せて行う。
【００５８】
交換玉数問合せ部３８ｂは、リモコン受光部３４を介して受け付けた景品コードに対応する交換玉数を景品管理装置５０に問い合わせる処理部である。すなわち、交換対価である交換玉数をＣＲユニット３０で特定するためには、景品管理装置５０が有する交換玉数管理テーブル５４ａをＣＲユニット３０側でも記憶する必要があるが、その場合には、各ＣＲユニット３０でデータサイズが大きいテーブルを記憶せねばならない。このような非効率なシステム構成を避けるために、景品管理装置５０が有する交換玉数管理テーブル５４ａを共有することとした。なお、景品コードとは、景品の種別を一意に特定するために景品種別ごとに付与されたコードを指す。
【００５９】
交換対価徴収部３８ｃは、交換玉数問合せ部３８ｂによる問合せ応答として得られた交換玉数を持ち玉数から減算処理する処理部である。具体的には、記憶部３７に持ち玉データ３７ａとして記憶された持ち玉数が交換玉数以上であるか否かを確認した後に、持ち玉数が交換玉数以上であった場合には、持ち玉数から交換玉数（交換対価）を減算（徴収）する。
【００６０】
持ち玉更新部３８ａ及び交換対価徴収部３８ｃは、いずれも持ち玉を更新する処理部であるが、持ち玉更新部３８ａが獲得玉の計数による加算更新や持ち玉返却による減算更新など遊技に関する更新を行うのに対し、交換対価徴収部３８ｃが交換対価の支払いによる減算更新を行う点が異なる。
【００６１】
ワゴン取引履歴通知部３８ｄは、ワゴン取引に関する履歴を上位装置に通知する処理部である。具体的には、交換対価徴収部３８ｃによって交換対価が徴収された場合に、ワゴン取引が行われた取引時刻、ＣＲユニット３０の台番号、景品コード及び交換玉数を含むワゴン取引履歴を管理装置１０に通知する。なお、本実施例では、交換対価徴収時にワゴン取引履歴を通知することとするが、所定の時刻にまとめて通知してもよいし、また、一定の件数の履歴が蓄積されてから通知するようにしてもよい。
【００６２】
また、ワゴン取引履歴通知部３８ｄは、景品管理装置５０が有する出庫管理テーブル５４ｂによって景品の出庫数が管理されており、ワゴン取引分の出庫数についても景品管理装置５０側で反映するために、ワゴン取引が行われた景品の景品コードを含む出庫通知を景品管理装置５０に行うことも兼務している。
【００６３】
次に、本実施例に係る管理装置の構成について説明する。図４は、実施例１に係る管理装置の構成を示す機能ブロック図である。同図に示すように、管理装置１０は、入力部１１と、表示部１２と、通信Ｉ／Ｆ部１３と、記憶部１４と、制御部１５とを有する。
【００６４】
入力部１１は、キーボードやマウス等の入力デバイスであり、表示部１２は、液晶パネルやディスプレイ等の表示デバイスであり、また、通信Ｉ／Ｆ部１３は、島コントローラ２０、ＣＲユニット３０及び景品管理装置５０などの他の装置との間でデータ通信を行うためのインターフェースである。
【００６５】
記憶部１４は、ハードディスク装置や不揮発性メモリ等の記憶デバイスであり、例えばプリペイドカードに関連付けられた持ち玉および残度数を管理する価値管理テーブル１４ａと、ワゴン取引履歴を管理するワゴン取引履歴テーブル１４ｂとを併せて記憶する。
【００６６】
価値管理テーブル１４ａは、プリペイドカードＩＤごとに持ち玉数および残度数を記憶したテーブルである。ここで、価値管理テーブル１４ａ内の残度数は、ＣＲユニット３０、景品管理装置５０や図示しないカード精算機などの各機器で加算または減算される度に同期をとってリアルタイムで更新される一方、価値管理テーブル１４ａ内の持ち玉数は、プリペイドカードが返却された時点でＣＲユニット３０から通知されたものであり、カード返却が行われるまではＣＲユニット３０内で持ち玉データがローカルに管理される。なお、これらの価値管理テーブル１４ａ内の価値高を更新するタイミングは、リアルタイムで処理を行ってもパッチ処理を行ってもいずれでもかまわない。
【００６７】
ワゴン取引履歴テーブル１４ｂは、図５に示すように、取引時刻ごとに台番号、景品コード、交換玉数を記憶したテーブルである。図５に示す例では、１１時２４分に台番号００３番で景品コードが０００２かつ交換玉数が３０個である景品がワゴン取引され、１１時２７分に台番号００７番で景品コードが０００３かつ交換玉数が７５個である景品がワゴン取引され、１１時４０分に台番号０１０番で景品コードが０００２かつ交換玉数が３０個である景品がワゴン取引され、１２時３９分に台番号１０９番で景品コードが０００４かつ交換玉数が７５個である景品がワゴン取引された旨を示している。なお、本実施例では、取引時刻、台番号、景品コード及び交換玉数を含めたものをワゴン取引履歴として呼称することとする。
【００６８】
制御部１５は、管理装置１０を全体制御する制御部であり、持ち玉登録部１５ａと、ワゴン取引履歴登録部１５ｂと、ワゴン精算リスト作成部１５ｃとを有する。実際には、これらの機能部に対応するプログラムを図示しないＲＯＭや不揮発性メモリに記憶しておき、これらのプログラムをＣＰＵにロードして実行し、持ち玉登録部１５ａ、ワゴン取引履歴登録部１５ｂ及びワゴン精算リスト作成部１５ｃにそれぞれ対応するプロセスを実行させることになる。
【００６９】
持ち玉登録部１５ａは、価値管理テーブル１４ａに持ち玉数の登録を行う処理部である。具体的には、プリペイドカードの返却時にプリペイドカードＩＤ及び持ち玉数を含む持ち玉登録依頼がＣＲユニット３０から通知されるので、当該持ち玉登録依頼に含まれる持ち玉数を価値管理テーブル１４ａ内の該当プリペイドカードＩＤの持ち玉数に上書き登録する。
【００７０】
なお、本実施例の特徴は、プリペイドカードの残度数には関係しないことからその説明を省略しているが、この制御部１５にはＣＲユニット３０、景品管理装置５０や図示しないカード精算機などの残度数更新依頼に応答して価値管理テーブル１４ａ内の残度数の更新を行う機能部も内在していることは言うまでもない。
【００７１】
ワゴン取引履歴登録部１５ｂは、ワゴン取引履歴テーブル１４ｂにワゴン取引履歴を登録する処理部である。具体的には、ＣＲユニット３０のワゴン取引履歴通知部３８ｄから取引時刻、台番号、景品コード及び交換玉数を含むワゴン取引履歴を受け付けた場合に、当該ワゴン取引履歴をワゴン取引履歴テーブル１４ｂに追加登録する。
【００７２】
ワゴン精算リスト作成部１５ｃは、ワゴン取引履歴テーブル１４ｂを用いて、ワゴン精算リストを作成する処理部である。詳細は図１０を用いて詳述するが、概要としては、ワゴン取引履歴テーブル１４ｂに記憶されたワゴン取引履歴のうち景品コード別にワゴン取引履歴の件数を集計することにより景品コード別の取引回数を算出したり、全ワゴン取引履歴の件数を集計することにより累計取引回数を算出したり、全ワゴン取引の交換玉数を集計することにより累計取引玉数を算出し、これら景品コード別の取引回数、累計取引回数及び累計取引玉数を含むワゴン精算リスト（図１１参照）を作成する。
【００７３】
次に、本実施例に係る景品管理装置の構成について説明する。図６は、実施例１に係る景品管理装置の構成を示す機能ブロック図である。なお、実際の景品管理装置５０では、図示した機能部以外の機能部（例えば、プリペイドカードを取り扱うカード処理部など）を有するが、図６では、実施例１に係る景品管理装置５０の特徴を説明するために必要な構成要素のみを抜粋している。
【００７４】
図６に示すように、景品管理装置５０は、従業員用タッチパネル５１と、遊技客用タッチパネル５２と、通信Ｉ／Ｆ部５３と、印字部５６と、記憶部５４と、制御部５５とを有する。
【００７５】
従業員用タッチパネル５１は、液晶パネルやディスプレイなどの表示デバイス上で操作入力を受け付けることができる表示可能かつ入力可能な従業員用デバイスであり、例えば、ワゴン精算リスト作成部１５ｃから受信したワゴン精算リスト（図１１参照）を画面表示したり、このワゴン精算リストを印刷する指示入力を受け付けたりする。
【００７６】
遊技客用タッチパネル５２は、液晶パネルやディスプレイなどの表示デバイス上で操作入力を受け付けることができる表示可能かつ入力可能な遊技客用デバイスであり、従業員用タッチパネル５１と同様の表示を行うことを基本とするが、両者の表示内容は必ずしも内容が同一である必要はなく、交換業務を行う従業員に表示する画面よりも簡易な情報を表示させるようにしてもよい。
【００７７】
通信Ｉ／Ｆ部５３は、当該景品管理装置５０と他の装置（例えば、管理装置１０、ＣＲユニット３０及び景品払出機６０などの他の装置）との間で各種通信を行うためのインターフェースである。
【００７８】
印字部５６は、印刷データを紙媒体に印字処理する印字装置であり、例えば、出庫管理テーブル５４ｂに記憶された出庫データを締上票として印字出力したり、また、ワゴン精算リスト作成部１５ｃから受信したワゴン精算リストを印字出力したりする。
【００７９】
記憶部５４は、制御部５５による各種処理に必要なデータおよびプログラムを記憶する不揮発性メモリ等の記憶デバイスであり、交換レシート等に印字するフォーマット及びその印字内容等の情報の他、景品との交換に要する交換玉数を管理する交換玉数管理テーブル５４ａと、景品の出庫数を管理する出庫管理テーブル５４ｂとを併せて記憶する。
【００８０】
交換玉数管理テーブル５４ａは、図７に示すように、景品コードごとに、景品名、交換玉数を記憶したテーブルである。図７に示す例では、景品コード「０００１」が付与されたお菓子Ａについてはパチンコ玉２５個と交換し、景品コード「０００２」が付与されたジュースＢについてはパチンコ玉３０個と交換し、景品コード「０００３」が付与されたタバコＡについてはパチンコ玉７５個と交換し、また、景品コード「０００４」が付与されたタバコＢについてはパチンコ玉７５個と交換することが定められている。
【００８１】
出庫数管理テーブル５４ｂは、図８に示すように、景品コードごとに、景品名、出庫数を記憶したテーブルである。図８に示す例では、景品コード「０００１」が付与されたお菓子Ａが６個出庫され、景品コード「０００２」が付与されたジュースＢが８個出庫され、景品コード「０００３」が付与されたタバコＡが１４個出庫され、また、景品コード「０００４」が付与されたタバコＢが８個出庫された旨を示している。
【００８２】
制御部５５は、景品管理装置５０を全体制御する制御部であり、景品カウンタに持ち込まれた持ち玉と景品との交換制御を行う機能部の他、交換玉数応答部５５ａと、出庫数更新部５５ｂと、出力制御部５５ｃとを有する。実際には、これらの機能部に対応するプログラムを図示しないＲＯＭや不揮発性メモリに記憶しておき、これらのプログラムをＣＰＵにロードして実行し、交換玉数応答部５５ａ、出庫数更新部５５ｂ及び出力制御部５５ｃにそれぞれ対応するプロセスを実行させることになる。
【００８３】
交換玉数応答部５５ａは、交換玉数問合せ部３８ｂによる交換玉数の問合せに応答する処理部である。具体的には、交換玉数問合せ部３８ｂから問合せを受け付けた場合に、交換玉数管理テーブル５４ａを参照して、問合せとともに受け付けた景品コードに対応する交換玉数を応答する。
【００８４】
出庫数更新部５５ｂは、出庫管理テーブル５４ｂによって管理される出庫数を更新する処理部である。具体的には、ワゴン取引履歴通知部３８ｄから出庫通知を受け付けた場合に、当該出庫通知を受け付けた景品コードの出庫数を加算更新する。
【００８５】
出力制御部５５ｃは、従業員用タッチパネル５１、遊技客用タッチパネル５２及び印字部５６の出力制御を行う処理部である。具体的には、ワゴン精算リスト作成部１５ｃからワゴン精算リストを受信した場合に、従業員用タッチパネル５１または遊技客用タッチパネル５２にワゴン精算リストを表示させたり、また、ワゴン精算リストを印字部５６に印字出力させたりする。
【００８６】
次に、本実施例に係る各台計数システムの処理の流れを説明する。なお、ここでは、ＣＲユニット３０によって行われる（１）景品交換処理を説明した後に、管理装置１０によって行われる（２）ワゴン精算リスト作成処理を説明することとする。
【００８７】
（１）景品交換処理
前述したように、ここでは、本実施例に係る景品交換処理について説明する。図９は、実施例１に係る景品交換処理の手順を示すフローチャートである。この処理は、ワゴンサービスを実施する販売員が遊技客から聞き取った景品名に対応する交換ボタンをリモコン７０で押下し、リモコン７０からＣＲユニット３０のリモコン受光部３４に当該景品の景品種別を示す景品コードが送信された場合等に開始される。
【００８８】
図９に示すように、リモコン７０から景品コードを取得すると（ステップＳ１０１）、交換玉数問合せ部３８ｂは、景品コードに対応する交換玉数を景品管理装置５０に問い合わせる（ステップＳ１０２）。
【００８９】
一方、景品管理装置５０の交換玉数応答部５５ａは、問合せとともに受け付けた景品コードに対応する交換玉数を交換玉数管理テーブル５４ａから読み出し（ステップＳ１０３）、該読み出した交換玉数を交換玉数問合せ部３８ｂに応答する（ステップＳ１０４）。
【００９０】
そして、ＣＲユニット３０の交換対価徴収部３８ｃは、記憶部３７に持ち玉データ３７ａとして記憶された持ち玉数が交換玉数以上であるか否かを確認し、持ち玉数が交換玉数以上であった場合には、持ち玉数から交換玉数（交換対価）を減算（徴収）し（ステップＳ１０５）、交換要求を受け付けた景品の交換対価の徴収が完了した旨をタッチパネル３０４に表示する（ステップＳ１０６）。なお、この交換対価の徴収完了報知を確認した販売員によってワゴンに搭載された交換景品が遊技客に手渡されることになる。
【００９１】
交換対価の徴収完了報知後に、ワゴン取引履歴通知部３８ｄは、ワゴン取引が行われた取引時刻、ＣＲユニット３０の台番号、景品コード及び交換玉数を含むワゴン取引履歴を管理装置１０に通知する（ステップＳ１０７）。なお、ワゴン取引履歴通知部３８ｄは、ワゴン取引履歴通知を送信するとともに、図示しない持ち玉表示を交換対価徴収後の持ち玉数に更新する。また、管理装置１０では持ち玉数の減算を行う。
【００９２】
一方、管理装置１０のワゴン取引履歴登録部１５ｂは、取引時刻、台番号、景品コード及び交換玉数を含むワゴン取引履歴をワゴン取引履歴テーブル１４ｂに追加登録する（ステップＳ１０８）。
【００９３】
そして、ワゴン取引履歴通知部３８ｄは、ワゴン取引が行われた景品の景品コードを含む出庫通知を景品管理装置５０に行う（ステップＳ１０９）。この出庫通知を受け付けた景品管理装置５０の出庫数更新部５５ｂは、出庫管理テーブル５４ｂによって記憶された出庫数のうち当該出庫通知を受け付けた景品コードに対応する出庫数を加算更新し（ステップＳ１１０）、処理を終了する。
【００９４】
（２）ワゴン精算リスト作成処理
次に、本実施例に係るワゴン精算リスト作成処理について説明する。図１０は、実施例１に係るワゴン精算リスト処理の手順を示すフローチャートである。この処理は、管理装置１０の入力部１１を介してワゴン精算リストの作成要求を受け付けた場合に開始される。なお、多くの場合は、遊技店におけるワゴンサービスが終了し、１日あたりのワゴン取引が確定した場合などに行われるが、必ずしもワゴン取引が確定している必要はない。
【００９５】
図１０に示すように、ワゴン精算リストの作成要求を受け付けると（ステップＳ２０１肯定）、ワゴン精算リスト作成部１５ｃは、ワゴン取引履歴テーブル１４ｂに記憶されたワゴン取引履歴のうち作成対象とする期間のワゴン取引履歴（例えば、本日のワゴン取引履歴）を読み出す（ステップＳ２０２）。
【００９６】
そして、ワゴン精算リスト作成部１５ｃは、読み出したワゴン取引履歴のうち景品コード別にワゴン取引履歴の件数を集計することにより景品コード別の取引回数を算出する（ステップＳ２０３）。
【００９７】
続いて、ワゴン精算リスト作成部１５ｃは、全ワゴン取引履歴の件数を集計することにより累計取引回数を算出し（ステップＳ２０４）、さらに、全ワゴン取引の交換玉数を集計することにより累計取引玉数を算出する（ステップＳ２０５）。なお、これら景品コード別の取引回数、累計取引回数及び累計取引玉数の算出順序は、図示した順番に限らず、任意の順番に算出することができる。
【００９８】
その後、ワゴン精算リスト作成部１５ｃは、このようにして算出した景品コード別の取引回数、累計取引回数及び累計取引玉数を含むワゴン精算リスト（図１１参照）を作成し（ステップＳ２０６）、該作成したワゴン精算リストを景品管理装置５０に送信し（ステップＳ２０７）、処理を終了する。
【００９９】
このワゴン精算リストを受信した景品管理装置５０の出力制御部５５ｃは、たとえば図１１に示すワゴン精算リストを従業員用タッチパネル５１や遊技客用タッチパネル５２に表示させたり、また、印字部５６に印字出力させたりすることができる。
【０１００】
図１１に示すワゴン精算リストを遊技店関係者が参照すれば、たとえばワゴンサービスでどの種別の景品がどれだけ取引されたのか、全体でどれだけの取引が行われたのか、或いは全体でどれほどの売り上げがあがったのかを正確に把握することが可能になる。
【０１０１】
また、景品カウンタで景品交換を行う場合には遊技店の従業員によって行われるが、ワゴン販売の場合には遊技店が商品の販売を外部委託しているケースも存在する。このような場合には、景品の販売数に応じて遊技店にロイヤリティを支払うという委託形態が取られることが多く、外部委託した販売社が遊技店に申告する取引回数等の情報に嘘がないか否かを監視することもできる。
【０１０２】
上述してきたように、本実施例では、景品の景品情報として当該景品の種別を表す景品コードを受け付け、受け付けた景品コードに対応する交換玉数を景品管理装置に問い合わせ、応答として得られた交換玉数を持ち玉数から減算処理し、交換玉数を減算処理した景品の景品コードを含む出庫通知を景品管理装置５０に行うようにＣＲユニット３０を構成し、景品コードごとに該景品の出庫数を対応付けて記憶し、景品コードに対応付けて記憶した出庫数のうち当該出庫通知に対応する出庫数を更新するように景品管理装置５０を構成したので、景品種別ごとにワゴン取引による出庫数を管理するとともに従業員等の販売員が景品の交換対価を数える作業を不要化することができ、ワゴン取引による出庫数を正確に管理しつつ、景品交換サービスの業務効率を向上させることが可能である。
【０１０３】
また、本実施例では、交換玉数を減算処理した景品コードを含むワゴン取引履歴を管理装置１０に通知するようにＣＲユニット３０を構成し、ＣＲユニット３０で交換取引されたワゴン取引履歴を記憶し、通知されたワゴン取引履歴を追加登録するように管理装置１０を構成したので、たとえば図１１に示したワゴン精算リストのように景品コード別の取引回数、累計取引回数及び累計取引玉数などのワゴンサービスに関する統計的なデータを作成することができ、ワゴン取引の実施状況を厳密に管理することが可能になる。
【０１０４】
さらに、本実施例では、交換を希望する景品の指定を受け付け、指定を受け付けた景品に対応する景品コードをＣＲユニット３０に送信するリモコン７０を設け、送信された景品情報を景品の景品情報として受け付けるようにＣＲユニット３０を構成したので、ユニットの操作部よりも大きい携帯端末の操作部で操作させ、かつ入力しやすい姿勢で操作を行わせることにより、景品を指定する際の操作利便性を向上させることが可能になる。
【０１０５】
なお、本実施例では、一般遊技客（ビジター）がワゴンサービスで景品交換を行う場合について説明したが、あらかじめ遊技店に登録処理された会員がワゴンサービスで景品交換を行う場合にも本発明を好適に適用することができる。例えば、会員の場合には、遊技店が会員に付与する会員カードや会員が所持する携帯端末などの会員特定媒体に当該会員が過去に交換した景品の履歴を関連付けておき、図１２に示すように、ＣＲユニット３０で会員特定媒体が受け付けられた際に過去に交換された景品を選択対象としてタッチパネル３０４などに表示させるようにしてもよい。
【０１０６】
また、本実施例では、リモコン７０で景品選択を受け付け、リモコン７０を介して景品コードを受け付けることとしたが、本発明はこれに限定されるものではなく、ＣＲユニット３０のタッチパネル３０５上で景品の選択を行わせたり、景品コードを直接入力させるようにしてもよい。さらに、この時に、新景品などのアピール商品をアナウンスすることもできる。
【実施例２】
【０１０７】
さて、上記の実施例１では、ＣＲユニット３０で景品種別を表す景品コードを受け付ける実施例を説明したが、本実施例では、ＣＲユニット３０で交換を希望する景品の交換玉数を受け付ける場合について説明する。
【０１０８】
すなわち、遊技業界においては、景品の出庫管理を景品種別ごとに行っている遊技店だけではなく、同一の交換玉数が定められた景品群を「Ｘ玉景品」と一括りにして出庫管理を行う遊技店も多い。
【０１０９】
このような出庫管理を行う遊技店の場合には、交換対価である交換玉数を直接受け付ける方が、景品コードを用いて交換玉数を景品管理装置に問い合わせるというプロセスが必要なくなる分、ワゴン取引を効率的に行うことができる。
【０１１０】
以下では、上記の実施例１に係る各台計数システム１と対比しながら説明を進めることとし、同様の機能を発揮するものについては実施例１と同一の符号を付してその説明を省略する。
【０１１１】
図１３は、実施例２に係るＣＲユニットの内部構成を示す機能ブロック図である。図１３に示すように、実施例２に係るＣＲユニット８０は、図３に示した実施例１に係るＣＲユニット３０に比較して、交換玉数問合せ部３８ｂを必要としない点において異なるとともに、交換対価徴収部８１ａ及びワゴン取引履歴通知部８１ｂの処理内容が部分的に異なる。
【０１１２】
交換対価徴収部８１ａは、実施例１に係る交換対価徴収部３８ｃと同様に、交換対価である交換玉数を持ち玉から減算処理する処理部であるが、交換対価徴収部３８ｂが交換玉数問合せ部３８ｂによる問合せ応答として得られた交換玉数を減算処理するのに対し、リモコン７０を介して受け付けた交換玉数を交換対価として減算処理する点が異なる。
【０１１３】
また、ワゴン取引履歴通知部８１ｂは、実施例１に係るワゴン取引履歴通知部３８ｄと同様に、ワゴン取引に係るワゴン取引履歴を管理装置１０に通知する処理部であるが、通知するワゴン取引履歴の内容が異なる。
【０１１４】
すなわち、ワゴン取引履歴通知部３８ｄでは、取引時刻、台番号、景品コード及び交換玉数を通知するのに対し、ワゴン取引履歴通知部８１ｂでは、景品コードは通知せず、取引時刻、台番号及び交換玉数をワゴン取引履歴として通知する。
【０１１５】
これに関連して、実施例２に係る管理装置１０が有するワゴン取引履歴テーブル１４ｃに記憶される内容も実施例１に係るワゴン取引履歴テーブル１４ｂと異なる。
【０１１６】
ワゴン取引履歴テーブル１４ｃは、図１４に示すように、取引時刻ごとに台番号及び交換玉数を記憶したテーブルである。図１４に示す例では、１１時２４分に台番号００３番で交換玉数が３０個である景品がワゴン取引され、１１時２７分に台番号００７番で交換玉数が７５個である景品がワゴン取引され、１１時４０分に台番号０１０番で交換玉数が３０個である景品がワゴン取引され、１２時３９分に台番号１０９番で交換玉数が７５個である景品がワゴン取引された旨を示している。
【０１１７】
図５に示した実施例１に係るワゴン取引履歴テーブル１４ｂでは、１１時２７分及び１２時３９分にワゴン取引された景品が景品コード「０００３」及び「０００４」によって区別されるが、これらは交換玉数が同じ７５個であるため、実施例２に係るワゴン取引履歴テーブル１４ｃでは、両者が「７５玉景品」と言う括りで管理されることになる。
【０１１８】
このワゴン取引履歴テーブル１４ｃを用いてワゴン精算リストを作成する場合には、図１５に示すワゴン精算リストが作成されることになる。具体的には、ワゴン取引履歴テーブル１４ｃに記憶されたワゴン取引履歴のうち交換玉数別にワゴン取引履歴の件数を集計することにより同一の交換玉数が定められた景品別の取引回数を算出したり、全ワゴン取引履歴の件数を集計することにより累計取引回数を算出したり、全ワゴン取引の交換玉数を集計することにより累計取引玉数を算出し、これら同一交換玉数が付与された景品別の取引回数、累計取引回数及び累計取引玉数を含むワゴン精算リストを作成する。
【０１１９】
図１５に示したワゴン精算リストを参照すれば、実施例１と同様に、同一交換玉数が付与された景品別の取引回数、累計取引回数及び累計取引玉数などのワゴンサービスに関する統計的なデータを作成することができ、ワゴン取引の実施状況を厳密に管理することが可能になる。
【０１２０】
さらに、ワゴン取引履歴通知部８１ｂは、実施例１に係るワゴン取引履歴通知部３８ｄと同様に、ワゴン取引が行われた場合に出庫通知を景品管理装置５０に行うが、ワゴン取引履歴通知部３８ｄが景品コードを含む出庫通知を行うのに対し、ワゴン取引履歴通知部８１ｂでは、交換玉数を含む出庫通知を行う点が異なる。
【０１２１】
これに関連して、実施例２に係る景品管理装置５０が有する交換玉数管理テーブル５４ｃ及び出庫管理テーブル５４ｄに記憶される内容も実施例１に係る交換玉数管理テーブル５４ａ及び出庫管理テーブル５４ｂと異なる。
【０１２２】
交換玉数管理テーブル５４ｃは、図１６に示すように、景品名ごとに該景品の交換玉数を記憶したテーブルである。図１６に示す例では、２５玉景品はパチンコ玉２５個と交換し、３０玉景品はパチンコ玉３０個と交換し、７５玉景品はパチンコ玉７５個と交換することが定められている。ここで、図７に示した交換玉数管理テーブル５４ａと比較すれば、７５玉景品はタバコＡとタバコＢの景品群に対応しており、同一の交換玉数が定められた景品群が一括りに管理されていることがわかる。
【０１２３】
出庫管理テーブル５４ｄは、図１７に示すように、景品名ごとに出庫数を記憶したテーブルである。図１７に示す例では、２５玉景品が６個出庫され、３０玉景品が８個出庫され、また、７５玉景品が２２個出庫された旨を示している。図１７に示した出庫管理テーブル５４ｄと図８に示した出庫管理テーブル５４ｂと比較すれば、タバコＡ及びタバコＢの出庫数の合算値である２２個が７５玉景品の出庫数として管理されていることがわかる。なお、出庫数は、ワゴン取引履歴通知部８１ｂから出庫通知を受け付けた場合に、当該出庫通知を受け付けた交換玉数に対応する景品名の出庫数が加算更新される。
【０１２４】
次に、本実施例に係る各台計数システムの処理の流れを説明する。図１８は、実施例２に係る景品交換処理の手順を示すフローチャートである。この処理は、ワゴンサービスを実施する販売員が遊技客から聞き取った景品に対応する交換玉数をリモコン７０に入力し、リモコン７０からＣＲユニット３０のリモコン受光部３４に当該景品の交換玉数が送信された場合等に開始される。
【０１２５】
図１８に示すように、リモコン７０から交換玉数を取得すると（ステップＳ３０１）、
交換対価徴収部８１ａは、記憶部３７に持ち玉データ３７ａとして記憶された持ち玉数が交換玉数以上であるか否かを確認し、持ち玉数が交換玉数以上であった場合には、持ち玉数から交換玉数（交換対価）を減算（徴収）し（ステップＳ３０２）、交換要求を受け付けた景品の交換対価の徴収が完了した旨をタッチパネル３０４に表示する（ステップＳ３０３）。なお、この交換対価の徴収完了報知を確認した販売員によってワゴンに搭載された交換景品が遊技客に手渡されることになる。
【０１２６】
交換対価の徴収完了報知後に、ワゴン取引履歴通知部８１ｂは、ワゴン取引が行われた取引時刻、ＣＲユニット３０の台番号及び交換玉数を含むワゴン取引履歴を管理装置１０に通知する（ステップＳ３０４）。
【０１２７】
一方、管理装置１０のワゴン取引履歴登録部１５ｂは、取引時刻、台番号及び交換玉数を含むワゴン取引履歴をワゴン取引履歴テーブル１４ｃに追加登録する（ステップＳ３０５）。
【０１２８】
そして、ワゴン取引履歴通知部８１ｂは、ワゴン取引が行われた景品の交換玉数を含む出庫通知を景品管理装置５０に行う（ステップＳ３０６）。この出庫通知を受け付けた景品管理装置５０の出庫数更新部５５ｂは、出庫管理テーブル５４ｄによって記憶された出庫数のうち当該出庫通知を受け付けた交換玉数に対応する出庫数を加算更新し（ステップＳ３０７）、処理を終了する。
【０１２９】
ここで、ワゴンサービスでの景品交換時にＣＲユニット８０とリモコン７０は、交換玉数の通信を行うだけであるが、リモコン７０側に景品コードを後で入力する或いはリモコン７０に景品コードをバーコード等を介して入力することで、リモコン７０側は景品コードも記憶しておくことが可能である。後は所定のタイミングで景品管理装置５０に行き、リモコン７０内のデータを赤外線通信等で送信することで、景品管理装置５０としては景品コード（種類）毎の管理を行うことができる。また、リモコン７０が交換先のＣＲユニット８０の番号も記憶しておけば、更に詳細な管理を行うことができる。
【０１３０】
上述してきたように、本実施例では、景品の景品情報として交換玉数を受け付け、受け付けた交換玉数を持ち玉数から減算処理し、交換玉数を減算処理した景品の交換玉数を含む出庫通知を景品管理装置５０に行うようにＣＲユニット８０を構成し、交換玉数ごとに当該交換玉数で交換される景品もしくは景品群の出庫数を対応付けて記憶し、出庫通知を受け付けた場合に、記憶した出庫数のうち当該出庫通知に含まれる交換玉数に対応する出庫数を更新するように景品管理装置５０を構成したので、同一の交換玉数が付与された景品ごとにワゴン取引による出庫数を管理するとともに従業員等の販売員が景品の交換対価を数える作業を不要化することができ、実施例１と同様、ワゴン取引による出庫数を正確に管理しつ、景品交換サービスの業務効率を向上させることが可能である。
【実施例３】
【０１３１】
さて、上記の実施例１及び２では、持ち玉から交換対価を減算処理し、パチンコ玉（現物）を介さずにワゴン取引を行う例を説明したが、本実施例では、持ち玉から交換対価を減算処理しつつも現物を介したワゴン取引を行う場合について説明する。
【０１３２】
すなわち、実施例３では、図１９に示すように、景品の景品情報として交換玉数を受け付け、受け付けた交換玉数を持ち玉数から減算処理し、減算処理した持ち玉分のパチンコ玉を払い出させるようにＣＲユニット９０を構成した。
【０１３３】
これを図１９を用いて具体的に説明すると、ＣＲユニット９０は、タッチパネル３０４を介して交換玉数２５個の入力を受け付けると（１）、該入力を受け付けた交換玉数２５個を交換対価とし、記憶部３７内の持ち玉データ３７ａを３４９０個から３４６５個に減算処理し（２）、該減算処理した玉数２５個分の持ち玉を持ち玉払出し部３０５から払い出させる（３）。このようにして払い出された２５個のパチンコ玉がワゴンサービスを行う販売員に受け渡されることにより、販売員によって交換景品が遊技客に渡されることになる。
【０１３４】
このような実施例３によれば、従業員等の販売員が景品の交換対価を数える作業を不要化することができ、景品交換サービスの業務効率を向上させることが可能である。
【０１３５】
なお、本実施例では、交換を希望する交換玉数をＣＲユニット９０に直接入力させることとしたが、本発明はこれに限定されることはなく、交換を希望する交換玉数の入力をリモコン７０で受け付け、該受け付けた交換玉数をリモコン７０からＣＲユニット９０に送信させるようにしてもよい。
【０１３６】
例えば、図２０に示すように、リモコン７０は、交換玉数２５個の入力を受け付けると（１）、該入力を受け付けた交換玉数２５個をＣＲユニット９０に送信する（２）。一方、ＣＲユニット９０は、リモコン受光部３４を介して交換玉数２５個を受信し（３）、該受信した交換玉数２５個を交換対価とし、記憶部３７内の持ち玉データ３７ａを３４９０個から３４６５個に減算処理し（４）、該減算処理した交換玉数２５個分の持ち玉を持ち玉払出し部３０５から払い出させる（５）。このように交換玉数の入力にリモコン７０を用いれば、ユニットの操作部よりも大きい携帯端末の操作部で操作させ、かつ入力しやすい姿勢で操作を行わせることができる。
【０１３７】
なお、上記の実施例１〜３では、「持ち玉」と「残度数」とを同一の管理装置で管理させることとしたが、本発明はこれに限定されるものではなく、「持ち玉」と「残度数」を別々の管理装置で管理させることとしてもよい。
【０１３８】
また、上記の実施例１〜３では、各台計数機をＣＲユニット内下部に設ける例を説明したが、本発明はこれに限定されるものではなく、各台計数機がＣＲユニットと別体に設けられ、ＣＲユニットと通信可能に接続されている各台計数システムにも本発明を同様に適用することができる。
【０１３９】
また、上記の実施例１〜３では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１４０】
以上のように、本発明に係る景品交換システム及び景品交換方法は、景品交換サービスの業務効率を向上させる場合に適している。
【図面の簡単な説明】
【０１４１】
【図１】実施例１に係る各台計数システムのシステム構成図である。
【図２】実施例１に係るＣＲユニットの外観を示した正面図である。
【図３】実施例１に係るＣＲユニットの内部構成を示す機能ブロック図である。
【図４】実施例１に係る管理装置の構成を示す機能ブロック図である。
【図５】ワゴン取引履歴テーブルに記憶される情報の構成例を示す図である。
【図６】実施例１に係る景品管理装置の構成を示す機能ブロック図である。
【図７】交換玉数管理テーブルに記憶される情報の構成例を示す図である。
【図８】出庫管理テーブルに記憶される情報の構成例を示す図である。
【図９】実施例１に係る景品交換処理の手順を示すフローチャートである。
【図１０】実施例１に係るワゴン精算リスト処理の手順を示すフローチャートである。
【図１１】ワゴン精算リストの一例を示す図である。
【図１２】会員に対して行うアナウンスの一例を示す図である。
【図１３】実施例２に係るＣＲユニットの内部構成を示す機能ブロック図である。
【図１４】ワゴン取引履歴テーブルに記憶される情報の構成例を示す図である。
【図１５】ワゴン精算リストの一例を示す図である。
【図１６】交換玉数管理テーブルに記憶される情報の構成例を示す図である。
【図１７】出庫管理テーブルに記憶される情報の構成例を示す図である。
【図１８】実施例２に係る景品交換処理の手順を示すフローチャートである。
【図１９】実施例３に係るＣＲユニットの概念を説明するための説明図である。
【図２０】実施例３の変形例を説明するための説明図である。
【符号の説明】
【０１４２】
１    各台計数システム
１０    管理装置
１１    入力部
１２    表示部
１３    通信Ｉ／Ｆ部
１４    記憶部
１４ａ  価値管理テーブル
１４ｂ  ワゴン取引履歴テーブル
１５    制御部
１５ａ  持ち玉登録部
１５ｂ  ワゴン取引履歴登録部
１５ｃ  ワゴン精算リスト作成部
２０    島コントローラ
３０    計数機能付きＣＲユニット
３１    操作部
３２    表示部
３３    通信Ｉ／Ｆ部
３４    リモコン受光部
３５    計数部
３６    持ち玉払出し部
３７    記憶部
３８    制御部
３８ａ  持ち玉更新部
３８ｂ  交換玉数問合せ部
３８ｃ  交換対価徴収部
３８ｄ  ワゴン取引履歴通知部
４０    パチンコ機
５０    景品管理装置
５１    従業員用タッチパネル
５２    遊技客用タッチパネル
５３    通信Ｉ／Ｆ部
５４    記憶部
５４ａ  交換玉数管理テーブル
５４ｂ  出庫管理テーブル
５５    制御部
５５ａ  交換玉数応答部
５５ｂ  出庫数更新部
５５ｃ  出力制御部
６０    景品払出機
７０    リモコン
【図１】
2010119453.tif 000003
【図２】
2010119453.tif 000004
【図３】
2010119453.tif 000005
【図４】
2010119453.tif 000006
【図５】
2010119453.tif 000007
【図６】
2010119453.tif 000008
【図７】
2010119453.tif 000009
【図８】
2010119453.tif 000010
【図９】
2010119453.tif 000011
【図１０】
2010119453.tif 000012
【図１１】
2010119453.tif 000013
【図１２】
2010119453.tif 000014
【図１３】
2010119453.tif 000015
【図１４】
2010119453.tif 000016
【図１５】
2010119453.tif 000017
【図１６】
2010119453.tif 000018
【図１７】
2010119453.tif 000019
【図１８】
2010119453.tif 000020
【図１９】
2010119453.tif 000021
【図２０】
2010119453.tif 000022